【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
特定方向に発射された遊技球が入球可能な位置に設けられ、且つ、遊技球が入球可能な第１可変状態と、その第１可変状態よりも遊技球が入球困難になる第２可変状態とに可変可能な可変入球手段と、
判別条件の成立に基づいて判別を実行する判別手段と、
その判別手段による判別で特定の判別結果となったことに基づいて、前記可変入球手段が前記第２可変状態から前記第１可変状態へと所定回数可変される可変遊技を実行する可変遊技実行手段と、
前記特定方向に発射された遊技球が流下可能な位置に設けられている特定流路と、
その特定流路に流入した遊技球が入球可能な位置に設けられた第１入球手段と、
前記特定流路に流入した遊技球が入球可能な位置に設けられ、前記第１入球手段とは異なる第２入球手段と、
前記第１入球手段に遊技球が入球したことに基づいて、前記第２入球手段に遊技球が入球した場合よりも遊技者に有利となる特定の特典を付与する特典付与手段と、
前記特定流路へと流入した遊技球が、前記第１入球手段に入球し易くなる第１状態と、その第１状態よりも、遊技球が前記第２入球手段へと入球し易くなる第２状態と、に可変可能な可変手段と、を備え、
前記可変手段は、前記可変遊技の実行中において、前記可変入球手段が前記第２可変状態に可変されている間に前記第１状態に可変され、前記可変入球手段が前記第１可変状態に可変されている間に前記第２状態に可変され得るように構成されていることを特徴とする遊技機。
【請求項２】
遊技球を発射可能な発射手段を備えることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、特定方向に発射された遊技球が入球可能な位置に設けられ、且つ、遊技球が入球可能な第１可変状態と、その第１可変状態よりも遊技球が入球困難になる第２可変状態とに可変可能な可変入球手段と、判別条件の成立に基づいて判別を実行する判別手段と、その判別手段による判別で特定の判別結果となったことに基づいて、前記可変入球手段が前記第２可変状態から前記第１可変状態へと所定回数可変される可変遊技を実行する可変遊技実行手段と、前記特定方向に発射された遊技球が流下可能な位置に設けられている特定流路と、その特定流路に流入した遊技球が入球可能な位置に設けられた第１入球手段と、前記特定流路に流入した遊技球が入球可能な位置に設けられ、前記第１入球手段とは異なる第２入球手段と、前記第１入球手段に遊技球が入球したことに基づいて、前記第２入球手段に遊技球が入球した場合よりも遊技者に有利となる特定の特典を付与する特典付与手段と、前記特定流路へと流入した遊技球が、前記第１入球手段に入球し易くなる第１状態と、その第１状態よりも、遊技球が前記第２入球手段へと入球し易くなる第２状態と、に可変可能な可変手段と、を備え、前記可変手段は、前記可変遊技の実行中において、前記可変入球手段が前記第２可変状態に可変されている間に前記第１状態に可変され、前記可変入球手段が前記第１可変状態に可変されている間に前記第２状態に可変され得るように構成されている。
【手続補正３】
【補正対象書類名】明細書
【補正対象項目名】０００７
【補正方法】変更
【補正の内容】
【０００７】
請求項２記載の遊技機は、請求項１記載の遊技機において、遊技球を発射可能な発射手段を備える。
【手続補正４】
【補正対象書類名】明細書
【補正対象項目名】０００９
【補正方法】変更
【補正の内容】
【０００９】
本発明の遊技機によれば、特定方向に発射された遊技球が入球可能な位置に設けられ、且つ、遊技球が入球可能な第１可変状態と、その第１可変状態よりも遊技球が入球困難になる第２可変状態とに可変可能な可変入球手段と、判別条件の成立に基づいて判別を実行する判別手段と、その判別手段による判別で特定の判別結果となったことに基づいて、前記可変入球手段が前記第２可変状態から前記第１可変状態へと所定回数可変される可変遊技を実行する可変遊技実行手段と、前記特定方向に発射された遊技球が流下可能な位置に設けられている特定流路と、その特定流路に流入した遊技球が入球可能な位置に設けられた第１入球手段と、前記特定流路に流入した遊技球が入球可能な位置に設けられ、前記第１入球手段とは異なる第２入球手段と、前記第１入球手段に遊技球が入球したことに基づいて、前記第２入球手段に遊技球が入球した場合よりも遊技者に有利となる特定の特典を付与する特典付与手段と、前記特定流路へと流入した遊技球が、前記第１入球手段に入球し易くなる第１状態と、その第１状態よりも、遊技球が前記第２入球手段へと入球し易くなる第２状態と、に可変可能な可変手段と、を備え、前記可変手段は、前記可変遊技の実行中において、前記可変入球手段が前記第２可変状態に可変されている間に前記第１状態に可変され、前記可変入球手段が前記第１可変状態に可変されている間に前記第２状態に可変され得るように構成されている。
【手続補正５】
【補正対象書類名】明細書
【補正対象項目名】１１２３
【補正方法】変更
【補正の内容】
【１１２３】
１０                                      パチンコ機（遊技機）
６５ａ                                    第１特定入賞口（可変入球手段）
１１２                                    発射制御装置（発射手段）
６０１                                    一般入賞口（第２入球手段）
６０２                                    一般入賞口（第１入球手段）
６０６                                    誘導流路（第２流路）
６０７                                    誘導流路（第１流路）
６０７ａ                                  貯留弁（可変手段）
６５０ａ                                  第２特定入賞口（可変入球手段）
７０１                                    一般入賞口（第１入球手段）
７０２                                    一般入賞口（第３入球手段）
７０３ｄ                                  一般入賞口（第２入球手段）
７０４                                    誘導流路（第１流路）
７０４ａ                                  貯留弁（可変手段）
７０６                                    誘導流路（第３流路）
７０８                                    誘導流路（第２流路）
８００                                    解除ボタン（操作手段）
Ｓ２１８                                  可変遊技実行手段
Ｓ３０５                                  判別手段
Ｓ１１０３                                切替手段
Ｓ１２０２，Ｓ１２０３                    可変制御手段
Ｓ１３０２                                切替手段
Ｓ１４０６                                可変制御手段
Ｓ４００３，Ｓ４００７                    切替手段
Ｓ４４０２，Ｓ４４０４                    可変制御手段